(57)【特許請求の範囲】
【請求項１】
加工機本体に取り付けられた上ワイヤヘッドを通じて供給されるワイヤ電極が通される下ワイヤヘッド，前記上ワイヤヘッドと前記下ワイヤヘッドとの間で加工液に浸漬した状態で工作物が設置される加工槽，前記加工槽に形成された長孔を覆うように配設され且つ前記長孔と対向する孔が形成された遮蔽板，前記遮蔽板の前記孔と前記加工槽の前記長孔に挿通され且つ前記加工液中に突出して前記下ワイヤヘッドを支持すると共に前記加工機本体に取り付けられた支持アーム，前記支持アームの長手方向であるＹ軸方向に移動可能なＹ方向移動サドル，前記加工液の水圧に抗して前記遮蔽板を背面側から上下方向に変位可能に支持し且つ前記Ｙ方向移動サドルに取り付けられた支持部材，前記Ｙ方向移動サドル上に配置されて前記Ｙ軸方向に直交するＸ軸方向に移動可能で且つ前記加工槽が載置されたＸ方向移動サドル，前記遮蔽板の前記Ｘ軸方向への移動を規制し且つ前記Ｙ方向移動サドルに取り付けられた規制部材，前記支持アームと前記遮蔽板の前記孔との隙間を密封するシール部材，及び前記加工槽の前記長孔の周縁部に設けられ且つ前記遮蔽板の前面に接触して密封するシール部材を備えていることから成る浸漬式ワイヤ放電加工機。
【請求項２】
前記遮蔽板の背面に設けた補強リブは，前記孔を挟んで前記遮蔽板の上部と下部に設けられていることから成る請求項１に記載の浸漬式ワイヤ放電加工機。
【請求項３】
前記支持部材は，前記遮蔽板の各端部に上下に一対ずつ配置され，前記支持部材と前記補強リブによって前記遮蔽板の上下方向の変位量が規定されていることから成る請求項２に記載の浸漬式ワイヤ放電加工機。
【請求項４】
前記支持部材及び前記規制部材は，前記Ｙ方向移動サドルに固定されたポストに取り付けられていることから成る請求項１に記載の浸漬式ワイヤ放電加工機。
【請求項５】
前記支持部材及び前記規制部材は，ローラで構成されていることから成る請求項１に記載の浸漬式ワイヤ放電加工機。
【発明の詳細な説明】
【０００１】
【発明の属する技術分野】
この発明は，加工槽に収容した工作物を加工液中で放電加工する浸漬式ワイヤ放電加工機に関する。
【０００２】
【従来の技術】
従来，放電加工機，特に加工液に浸漬された工作物に対してワイヤ電極によって所定の加工形状にワイヤ放電加工を行う浸漬式ワイヤ放電加工機が知られている。浸漬式ワイヤ放電加工機において，工作物は，ワイヤ電極と工作物との間に極間電圧を印加することによって発生する放電エネルギーによって放電加工される。工作物は，工作物取付金具によって加工槽内の工作物支持台に固定され，ワイヤ電極に対して，加工槽と共に水平面上を移動可能である。この種の浸漬式ワイヤ放電加工機としては，例えば，図３に示すようなもの（特公平７−３９０５６号公報参照），図４及び図５に示すようなもの，及び図６に示すようなもの（特開平８−１１８１５２号公報参照）などがある。
【０００３】
図３に示す従来の浸漬式ワイヤ放電加工機は，下ワイヤヘッド５１は上ワイヤヘッド５２と対応して設けられ，加工機本体５３に固定されて加工液５４に浸漬される下アーム５５は，下ワイヤヘッド５１を一端で支持し，且つ加工槽５６の側壁５７に形成された長孔５８を貫通し，他端で加工槽５６の外部において加工機本体５３のフレームに固定されている。工作物Ｗに対して放電加工して消耗した廃ワイヤ電極５９は，下ワイヤヘッド５１に案内されて下アーム５５内を挿通し，加工槽５６から外部へ排出される。ワイヤ放電加工を行なうに際しては，工作物Ｗを取り付けた工作物支持台６０が加工槽５６と一体となって，下アーム５５に対してＸ−Ｙ軸平面内で相対移動するように構成されている。Ｙ軸は下アーム５５の長手方向の軸であり，Ｘ軸はＹ軸と直交し且つ水平面内に位置する軸の方向である。工作物Ｗと廃ワイヤ電極５９との間の相対移動は，数値制御（ＮＣ）指令によって行なわれる。
【０００４】
上記浸漬式ワイヤ放電加工機は，加工液５４が収容され側壁５７に形成された長孔５８の長手方向即ちＸ軸方向に移動可能な加工槽５６と，加工槽５６を載置し，長孔５８の長手方向に対し直角方向即ちＹ軸方向に移動可能なＹ方向移動サドル６１と，加工槽５６の長孔５８を覆うように配設され，Ｙ方向移動サドル６１に固定された遮蔽板６２と，加工槽５６に取り付けられ，加工液５４の水圧に対抗して遮蔽板６２を背面側から支持する支持部材であるベアリング６３と，遮蔽板６２の上面及び下面を支えるベアリング６４と，遮蔽板６２に形成された孔６５を貫通し，加工槽５６の側壁５７の長孔５８を挿通して加工液５４中に突出し，廃ワイヤ電極５９を案内する下アーム５５と，下アーム５５に同軸に設けられ，一端が遮蔽板６２の孔６５の周囲に固定され，他端が下アーム５５に固定され，Ｙ方向移動サドル６１のＹ軸方向の移動に応じて伸縮する蛇腹６６と，加工槽５６の長孔５８の周縁部に取り付けられ，遮蔽板６２の前面に接触して密封するシール部材６７とを備えたものである。
【０００５】
加工槽５６はＹ方向移動サドル６１に対してＸ軸方向に相対的に移動することができる。遮蔽板６２はＹ方向移動サドル６１に固定されているので，Ｘ軸方向には移動しない。即ち，遮蔽板６２の背面側にピン６８が植設され，Ｙ方向移動サドル６１と一体をなす支持金ストッパー６９の上部にリング７０が設けられ，ピン６８がリング７０に嵌合されているので，遮蔽板６２はＸ軸方向には移動しない。加工槽５６に固定された押さえ板７１にはベアリング６３，６４が設けられており，加工槽５６がＸ軸方向に移動する際には，ベアリング６３は遮蔽板６２の背面を転動し，ベアリング６４は遮蔽板６２の上面及び下面を転動しながら加工槽５６と共に移動する。遮蔽板６２はベアリング６４に案内されているので，上下方向に変位することはできない。また，Ｙ方向移動サドル６１は加工機本体５３に対してＹ軸方向に移動し得るので，Ｙ方向移動サドル６１に載置された加工槽５６はＹ方向移動サドル６１のＹ軸方向の移動に伴ってＹ軸方向に一緒に移動することができる。そして，Ｙ方向移動サドル６１がＹ軸方向に移動する際に，蛇腹６６は伸縮する。
【０００６】
また，図４及び図５に示す従来の浸漬式ワイヤ放電加工機は，加工槽７３の側壁７４に形成された長孔７５の周縁部には，シール部材７６を保持するためのブロック７７が設けられている。遮蔽板７８は加工槽７３の長孔７５を覆うように配置され，遮蔽板７８の前面７９にはシール部材７６が当接し，遮蔽板７８の背面８０にはブロック７７に取り付けられた支持部材である支持板８１が当接している。支持板８１は，ブロック７７の上部と下部にそれぞれ複数個取り付けられ，加工槽７３内の水圧に対抗して遮蔽板７８を背面側から支持するものである。支持板８１を複数個取り付けた理由は，遮蔽板７８が水圧で撓むのを防止するためである。また，遮蔽板７８の中心部には下アーム８２を挿通する孔８３が形成されており，この孔８３にシール部材８４が設けられている。このように，二つのシール部材７６と８４が加工槽７３内の加工液の漏出防止機能を果たしている。遮蔽板７８はＹ方向移動サドルに固定されているので，加工槽７３側に取り付けられた支持板８１は，加工槽７３のＸ軸方向の移動に伴って遮蔽板７８の背面８０を摺動する。遮蔽板７８は，上下の支持板８１によって案内されているので，上下方向に変位することはできない。なお，その他の点については第二従来例は第一従来例とほぼ同じ構造であるから，説明を省略する。
【０００７】
図６に示す従来の浸漬式ワイヤ放電加工機は，図３に示した従来例から，ベアリング６３，６４，押さえ板７１，ピン６８，リング７０，及び支持金ストッパー６９を取り除いて，その代わりに，遮蔽板８５の下部をＹ方向移動サドル８６に直接固定したものである。
【０００８】
【発明が解決しようとする課題】
ところで，浸漬式ワイヤ放電加工機は，加工槽内に加工液が収容され，加工槽の側壁を下アームが貫通しているので，加工液が加工槽から漏出するのを防止する必要があり，そのために，上記のとおり，図３に示す従来例ではシール部材６７と蛇腹６６が設けられ，図４と図５に示す従来例ではシール部材７６とシール部材８４が設けられ，図６に示す従来例では蛇腹８８とシール部材８７が設けられているのである。
【０００９】
しかしながら，従来例の浸漬式ワイヤ放電加工機では，加工中に加工槽５６の位置が変化することに伴って遮蔽板６２には加工液の変動圧が絶えず加わっており，しかも加工槽５６と遮蔽板６２がＸ軸方向に相対移動する時には，遮蔽板６２を支持するベアリング６３，６４の位置が変化するので，加工槽５６と遮蔽板６２との間の隙間７２を常に一定に保つことができず，密封性が十分とはいえない。シール部材６７の摩耗，スラッジによるシール部材６７の損傷，シール部材６７の劣化などに起因して，矢印で示すように，スラッジを含んだ加工液がシール部材６７から漏れ，加工槽５６の側壁５７と遮蔽板６２との間の小さな隙間７２の間隔が変化することによって，漏れた加工液は遮蔽板６２の上端面を乗り越えて背面側に流れ出し，加工液に含まれているスラッジがベアリング６３，６４に堆積し，その結果，ベアリング６３，６４が回転不良を起こして摺動抵抗が増加し，工作物の加工精度に悪影響を及ぼすという問題があった。また，図５に示す浸漬式ワイヤ放電加工機においても，矢印で示したように，シール部材７６から漏れた加工液が遮蔽板７８の上端面を乗り越えて背面側に流れ出し，支持板８１にスラッジが堆積し，支持板８１と遮蔽板７８との間の摺動抵抗が増加することにより，同様の問題を引き起こしていた。
【００１０】
そこで，加工槽の側壁と遮蔽板との間から加工液の漏出を完全に防止するため，両者間に強力なシール部材を設けることも考えられるが，そうすると，次のような不都合も生じる。即ち，強力なシール部材のために加工槽の側壁と遮蔽板との間に作用する摩擦力により加工槽の速やかな移動と位置の正確な制御が困難になる。
【００１１】
結局，上記摺動抵抗増加の問題は，支持部材と遮蔽板とがＸ軸方向に相対移動すること，即ち支持部材が加工槽に取り付けられていることに起因する。これに対して，図６に示す浸漬式ワイヤ放電加工機では，遮蔽板８５はＹ方向移動サドル８６に直接固定されているので，上記のような問題は発生しない。しかし，図６に示す従来例の場合，遮蔽板８５はその下部でＹ方向移動サドル８６に固定されているため，水圧によって遮蔽板８５の上部が開こうとする力を受け，シール部材８７によるシール性能が低下することが考えられる。また，下アーム８９と遮蔽板８５との間の密封のために蛇腹８８を使用しているが，加工槽９０が下アーム８９に対してＹ軸方向に相対移動する時に，蛇腹８８内の加工液と加工槽９０内の加工液との出入りが当該移動にとって常に抵抗として作用するため，工作物Ｗの加工精度に悪影響を及ぼす。
【００１２】
また，図３に示す従来例では，加工槽５６が遮蔽板６２に対してＸ軸方向に相対的に移動できるようにするために，加工槽５６に固定された押さえ板７１に，遮蔽板６２の背面，上面及び下面にそれぞれ当接するベアリング６３，６４を設けるとともに，遮蔽板６２の背面側にピン６８を植設し，Ｙ方向移動サドル６１と一体をなす支持金ストッパー６９の上部にリング７０を設け，ピン６８をリング７０に嵌合している。このように，従来例においては，加工槽５６を遮蔽板６２に対してＸ軸方向に相対移動可能にするために多数の部品が使用されており，部品点数が多いという問題がある。
【００１３】
更に，図４，５に示す従来例では，遮蔽板７８は上下の支持板８１によって上下方向に移動できないように規制されており，しかも遮蔽板７８の孔８３と下アーム８２との間にシール部材８４が設けられているので，下アーム８２の水平取付精度を上げる必要があり，組立が困難になるという問題がある。即ち，下アーム８２の水平取付精度が悪い場合には，Ｙ方向移動サドルがＹ軸方向へ移動する時に，シール部材８４に過大な摺動抵抗が発生することになり，高い加工精度を保持することができなくなるという問題がある。この点に関しては，図６に示す従来例では，下アーム８９が挿通される遮蔽板８５の孔９１を下アーム８９の径よりも十分に大きく形成し，即ち遮蔽板８５の孔９１と下アーム８９との間に大きな隙間を形成し，遮蔽板８５と下アーム８９との間に蛇腹８８を設けて密封しているので，下アーム８９の水平取付精度が多少悪くても，Ｙ方向移動サドル９２がＹ軸方向に移動する時に摺動抵抗が大きくなるということはないので，特に悪影響は発生しないが，上記のとおり，Ｙ軸方向の移動の際には，蛇腹８８内の加工液と加工槽９０内の加工液との出入りが常に抵抗として作用するため，工作物の加工精度に悪影響を及ぼす。
【００１４】
そこで，水圧に抗して遮蔽板を背面側から支持するための支持部材が遮蔽板の背面上を摺動しないように構成し，下アームと該下アームを挿通する遮蔽板の孔との間の隙間を密封するためのシール部材として蛇腹を使用することなく，支持アームの水平取付精度がラフであっても，前記シール部材に過大な摺動抵抗がかからないようにするために，如何にして遮蔽板を支持するかが課題となっている。
【００１５】
【課題を解決するための手段】
この発明の目的は，上記課題を解決することにより，部品点数が少なくて，下アームの水平取付精度を要求されることなく容易に組み立てることができ，加工液のシール部材からの漏れを防ぐことができ，工作物に対する高い加工精度を維持することのできる浸漬式ワイヤ放電加工機を提供することである。
【００１６】
この発明は，加工機本体に取り付けられた上ワイヤヘッドを通じて供給されるワイヤ電極が通される下ワイヤヘッド，前記上ワイヤヘッドと前記下ワイヤヘッドとの間で加工液に浸漬した状態で工作物が設置される加工槽，前記加工槽に形成された長孔を覆うように配設され且つ前記長孔と対向する孔が形成された遮蔽板，前記遮蔽板の前記孔と前記加工槽の前記長孔に挿通され且つ前記加工液中に突出して前記下ワイヤヘッドを支持すると共に前記加工機本体に取り付けられた支持アーム，前記支持アームの長手方向であるＹ軸方向に移動可能なＹ方向移動サドル，前記加工液の水圧に抗して前記遮蔽板を背面側から上下方向に変位可能に支持し且つ前記Ｙ方向移動サドルに取り付けられた支持部材，前記Ｙ方向移動サドル上に配置されて前記Ｙ軸方向に直交するＸ軸方向に移動可能で且つ前記加工槽が載置されたＸ方向移動サドル，前記遮蔽板の前記Ｘ軸方向への移動を規制し且つ前記Ｙ方向移動サドルに取り付けられた規制部材，前記支持アームと前記遮蔽板の前記孔との隙間を密封するシール部材，及び前記加工槽の前記長孔の周縁部に設けられ且つ前記遮蔽板の前面に接触して密封するシール部材を備えていることから成る浸漬式ワイヤ放電加工機に関する。
【００１７】
この浸漬式ワイヤ放電加工機において，前記遮蔽板の背面に設けた補強リブは前記孔を挟んで前記遮蔽板の上部と下部に設けられている。また，前記支持部材は前記遮蔽板の各端部に上下に一対ずつ配置され，前記支持部材と前記補強リブによって前記遮蔽板の上下方向の変位量が規定されている。前記支持部材及び前記規制部材は前記Ｙ方向移動サドルに固定されたポストに取り付けられている。前記支持部材及び前記規制部材はローラで構成されている。
【００１８】
また，支持部材は，ローラだけでなく，ころがり軸受やすべり軸受などであってもよい。更に，サドルとはＹ方向移動サドルを意味し，支持アームとは下アームを意味するものである。
【００１９】
この浸漬式ワイヤ放電加工機は，上記のように構成されているため，遮蔽板を背面側から支持するための支持部材をサドル側に取り付けて，遮蔽板の背面に摺接する支持部材を不用としたので，スラッジの堆積による摺動抵抗の増大の問題は解消される。
【００２０】
また，この浸漬式ワイヤ放電加工機では，遮蔽板を背面側から支持するための支持部材がサドル側に取り付けられているので，加工槽と遮蔽板が相対移動する時でも，加工槽と遮蔽板との間の隙間は常に一定に保たれ，シール部材による十分かつ確実な密封が得られるようになる。
【００２１】
更に，この浸漬式ワイヤ放電加工機では，遮蔽板の背面に補強リブを設けたので，加工液の水圧を受けても遮蔽板は撓み難い。特に，補強リブは加工槽の長孔の長手方向（Ｘ軸方向）に沿って前記長孔の上部と下部に設けた場合には，遮蔽板の撓みに対する強度が十分に得られる。したがって，遮蔽板を薄くして強度を出すことができ，軽量化を図ることができる。また，遮蔽板は撓み難いから，遮蔽板を背面側から支持するための支持部材をサドル側に取り付け，遮蔽板をその両端部で支持することが可能となる。遮蔽板をその両端部で支持した場合には，支持部材の位置は加工槽から離れた位置になるので，たとえ加工液がシール部材から漏出したとしても，加工液が支持部材に付着することはない。
【００２２】
また，遮蔽板は上下に変位可能に構成されているから，たとえ支持アームの水平取付精度がラフであっても，遮蔽板がＹ軸方向に移動する時に遮蔽板の孔の回りに設けたシール部材に過大な摺動抵抗が作用せず，高い加工精度を保持することができる。更に，支持部材及び規制部材として，ローラを使用した場合には，遮蔽板の上下方向の変位の際の抵抗が非常に少なくなるから，前記シール部材に作用する摺動抵抗は非常に小さくなり，より高い加工精度を維持することができる。
【００２３】
【発明の実施の形態】
以下，添付図面を参照しながら，この発明の実施例を説明する。図１はこの発明による浸漬式ワイヤ放電加工機の一実施例を示す断面図，及び図２は図１の浸漬式ワイヤ放電加工機の要部を示す斜視図である。
【００２４】
この浸漬式ワイヤ放電加工機において，加工槽１内には，イオン交換樹脂を経ることで水の比電気抵抗をコントロールされた加工液２が収容されている。加工槽１の底には，ベース３が敷設されており，加工槽１内に収容された加工液２中に工作物Ｗを浸漬した状態で支持するため，ベース３上に工作物支持台４がボルト５によって固定されている。工作物支持台４は，図１では１台のみ図示したが，同じ加工槽１の中に複数台設置することができる。工作物支持台４は，リード線６を介して加工槽１の外部から一方の電極に接続されている。工作物Ｗは，工作物取付具７（或いは，必要であれば，専用の取付金具）をボルト８によって工作物支持台４に締結することにより，工作物支持台４に固定される。
【００２５】
工作物Ｗに対して所定の加工形状にワイヤ放電加工を行うために工作物Ｗとの間で放電をするワイヤ電極１０は，ワイヤ放電加工機の加工機本体９に設けられている自動ワイヤ供給装置（図示せず）から供給される。ワイヤ電極１０は，加工機本体９に取り付けられた上アーム１１に支持された上ワイヤヘッド１２と，加工機本体９のコラム５０から加工槽１の側壁２３を貫通して横方向に延びた下アーム１３に支持された下ワイヤヘッド１４によって案内される。上ワイヤヘッド１２には，従来と同様に，ワイヤ送出口，ダイスガイド，噴流ノズル，給電子１５，及び給電子押え等が組み込まれており，ワイヤ電極１０を工作物Ｗの放電加工部位に送り出す。給電子１６が組み込まれた下ワイヤヘッド１４は，上ワイヤヘッド１２と同様の構造を有しており，上ワイヤヘッド１２に対向した位置に設けられていて上ワイヤヘッド１２から繰り出されたワイヤ電極１０を受け入れる。工作物Ｗは，上ワイヤヘッド１２と下ワイヤヘッド１４との間に設置される。上ワイヤヘッド１２の給電子１５と下ワイヤヘッド１４の給電子１６とをリード線１７が結んでおり，リード線１７には，リード線６に接続された極とは反対の極が与えられている。
【００２６】
工作物Ｗに対して放電加工を行なったワイヤ電極１０は，下ワイヤヘッド１４に受け入れられた後，廃ワイヤ排出手段（図示せず）によって加工槽１から下アーム１３の内部を通して外部へ排出される。加工槽１の加工液２が不足する場合には，加工液供給管１８から補給される。加工液供給管１８には供給コック１９が設けられており，手動にて供給量を調節することができる。また，加工槽１内の加工液２を排出するために，加工液排出管２０が加工槽１の底部に接続されている。加工液排出管２０には排出コック２１が設けられており，排出コック２１は手動にて開閉可能である。
【００２７】
図１に示すように，加工機本体９と一体の基台４４に設けられたＹ軸移動用モータ（図示せず）の出力軸はねじ伝動作用をするＹ方向ねじ軸（図示せず）となっており，Ｙ方向ねじ軸はＹ方向移動サドル３５とねじ係合している。したがって，Ｙ方向ねじ軸の回転によってＹ方向移動サドル３５がＹ軸方向に移動する。また，Ｙ方向移動サドル３５にはＸ軸移動用モータ（図示せず）が取り付けられており，Ｘ軸移動用モータによって回転されるＸ方向ねじ軸４９は，Ｘ方向移動サドル３６とねじ係合している。したがって，Ｘ方向ねじ軸４９の回転によってＸ方向移動サドル３６がＸ軸方向（Ｙ軸方向と直交する方向）に移動可能である。加工槽１は，ボルト及びナットのような固着具によってＸ方向移動サドル３６に取り付けられ，Ｘ方向移動サドル３６と共に移動する。上アーム１１及び下アーム１３は加工機本体９に対して位置不動であるので，このような移動サドル機構によって，加工槽１は，下アーム１３の長手方向（Ｙ軸方向）と，該長手方向と直交する方向（Ｘ軸方向）とで定められる水平面内においてワイヤ電極１０に対する位置制御が可能である。
【００２８】
次に，加工槽１の側壁２３と下アーム１３との関連構造について説明する。加工槽１の側壁２３には，Ｘ軸方向に平行に延びる長孔２４が形成されている。長孔２４の上下の孔縁２５，２６は平行に配置されているが，左右の孔縁は半円弧状に形成されている。加工槽１の側壁２３の外面には，図１に示すように，長孔２４を覆うように遮蔽板２２が設けられている。また，加工槽１の側壁２３の外面には，シール部材２７を保持するためのブロック２８が長孔２４の周縁部に取り付けられており，シール部材２７は遮蔽板２２の前面２９に接触して加工槽１の側壁２３と遮蔽板２２との間を密封し，加工液２が加工槽１から漏出するのを防止している。遮蔽板２２はテフロン（登録商標）等の低摩擦係数を有する材質で製作されているので，加工槽１がＸ軸方向に移動する際に，シール部材２７と遮蔽板２２との間の摺動抵抗は小さい。
【００２９】
遮蔽板２２の中心部には，下アーム１３の径よりもやや大きい孔３０，即ち少なくとも後述する距離Ｇよりも大きな径の孔３０が形成されており，孔３０の回りにリップ３１を有する環状のシール部材３２が設けられている。シール部材３２のリップ３１は下アーム１３の外周面に当接して加工槽１内からの加工液２の漏出を防止するものである。また，遮蔽板２２の上部と下部には，孔３０を挟んで遮蔽板２２の長手方向に沿って一対の補強リブ３３，３４が設けられている。この補強リブ３３，３４は，加工槽１内の水圧の作用で遮蔽板２２が撓むのを防止する働きがあり，この補強リブ３３，３４を遮蔽板２２に設けたことにより遮蔽板２２を薄くしても十分な強度を確保することができ，遮蔽板２２の軽量化を図ることができる。
【００３０】
Ｙ方向移動サドル３５の両端部には，図２に示すように，それぞれＬ字型のポスト３７，３７が取り付けられている。それぞれのポスト３７，３７には，支持部材としての上下一対のローラ３８，３９と，規制部材としてのローラ４０が取り付けられている。支持部材としてのローラ３８，３９は，支軸４１が遮蔽板２２の長手方向に沿うようにポスト３７に連結具４２を介して取り付けられているので，遮蔽板２２の端部の背面４３上を転動可能である。上下一対のローラ３８，３９は，上側の補強リブ３３が上側のローラ３８に当接しているときに，下側の補強リブ３４と下側のローラ３９との間に隙間Ｇができるように配置されているので，遮蔽板２２は上下方向にその隙間分の距離Ｇだけ変位可能である。これに対して，規制部材としてのローラ４０は，支軸４５が下アーム１３の長手方向に沿うようにポスト３７に取り付けられているので，遮蔽板２２の側端面４６上を転動可能である。したがって，ローラ４０はＸ軸方向への遮蔽板２２の移動を規制すると同時に，遮蔽板２２が上下方向に滑らかに変位し得るように案内する機能を持つものである。以上のとおりであるから，ローラ３８，３９とローラ４０とが共働して，遮蔽板２２は上下に小さな抵抗で滑らかに変位することができる。
【００３１】
また，遮蔽板２２は，ポスト３７，３７に設けられたローラ３８，３９，４０によって，その両端部で支持されているので，加工液が漏れ出す位置，即ちシール部材２７，３２から離れた位置にローラ３８，３９，４０が位置していることになるから，たとえ加工液がシール部材２７，３２から漏出したとしても，ローラ３８，３９，４０にその加工液が付着することはなく，スラッジが堆積することもないから，遮蔽板２２の上下方向の変位が妨げられることはない。
【００３２】
この浸漬式ワイヤ放電加工機は，上記のとおり，二種類のローラ３８，３９及びローラ４０と上下の補強リブ３３，３４が協働して遮蔽板２２が距離Ｇだけ上下方向に変位可能に構成され，しかも遮蔽板２２は低摩擦係数の材質で作られ且つ軽量であるから，下アーム１３の水平取付精度がラフな場合，即ち遮蔽板２２の孔３０の中心が下アーム１３の中心軸とずれているような場合には，遮蔽板２２は両方の中心が一致するように上下方向に軽い力で変位することができる。このため，Ｙ方向移動サドル３５がＹ軸方向に移動するとき，即ち加工槽１及び遮蔽板２２がＹ方向に移動するとき，下アーム１３と該下アーム１３が挿通された遮蔽板２２の孔３０との間の隙間を密封するためのシール部材３２に過大な摺動抵抗がかからず，このため高い加工精度を保持することができる。
【００３３】
この浸漬式ワイヤ放電加工機においては，遮蔽板２２を背面４３側から支持するためのローラ３８，３９がＹ方向移動サドル３５の両端部に固定されたポスト３７に取り付けられているので，加工槽１と遮蔽板２２が相対移動する時でも，遮蔽板２２の支持位置が変化しないから，加工槽１の側壁２３と遮蔽板２２との間の隙間は常に一定に保たれ，シール部材２７による十分かつ確実な密封が得られるようになる。
【００３４】
Ｙ方向移動サドル３５に固定されたポスト３７には，ローラ３８，３９，４０の他に，図２に示すように連結具４７を介して樋４８も取り付けられている。樋４８は加工槽１の側壁２３に沿って遮蔽板２２の下方に配置されており，Ｙ方向移動サドル３５と共にＹ軸方向にのみ移動可能である。加工液中には放電加工の結果として発生した微細なスラッジやカーボン類が混入しているので，シール部材２７，３２を傷めることがあり，シール部材２７やシール部材３２から加工液が漏出することもあり得る。この樋４８は，シール部材２７やシール部材３２から漏出し滴下してきた加工液を回収することができるものである。樋４８のＸ軸方向長さは，加工槽１のＸ軸方向の全移動範囲にわたって加工槽１をカバーすることのできる程度の長さである。
【００３５】
【発明の効果】
この発明による浸漬式ワイヤ放電加工機は，上記のように構成されているので，次のような効果を有する。即ち，この浸漬式ワイヤ放電加工機は，水圧に抗して遮蔽板を支持するための支持部材を加工槽に取り付けずに，サドル側に取り付けるようにしたので，加工槽がＸ軸方向へ移動する際に，支持部材と遮蔽板とが摺動することはないうえ，従来のように支持部材へのスラッジの堆積による摺動抵抗の増大もないから，高い加工精度を保持することができるようになる。
【００３６】
また，この浸漬式ワイヤ放電加工機は，遮蔽板が上下方向に変位可能に構成されているので，支持アームの水平取付精度が多少よくない場合でも，遮蔽板に設けたシール部材に過大な摺動抵抗がかからないように，遮蔽板が上下方向に変位して上下位置が自動的に調整される。それゆえ，支持アームを組み立てる際に高い水平取付精度を要求する必要がなくなったので，浸漬式ワイヤ放電加工機の組立が容易に行えるようになる。特に，遮蔽板の背面側に補強リブを設けて，遮蔽板を薄くて強度のある軽量化されたものにすると共に，支持部材及び規制部材をローラとした場合には，遮蔽板の上下方向の変位の際の抵抗はもっと小さくなるので，その効果はより大きなものになる。
【００３７】
また，前記支持部材は前記遮蔽板の各端部に上下に一対ずつ配置され，前記支持部材と前記補強リブによって前記遮蔽板の上下方向の変位量を規定するように構成したので，補強リブが遮蔽板を補強する機能と遮蔽板の上下方向の変位量を規定する機能の二つの機能を併せ持つことになり，部品点数を削減することができる。また，支持部材と規制部材とをサドルに固定されたポストに取り付けるようにした場合には，即ち一つのポストに二つの部材を取り付けるようにした場合には，部品点数を減らすことができる。さらに，サドルに固定されたポストは，シール部材から漏出した加工液を回収するための樋を取り付けるためにも利用することができ，樋を取り付けるために特別の部材を必要としないという意味においても，部品点数を削減することができる。
【図面の簡単な説明】
【図１】この発明による浸漬式ワイヤ放電加工機の一実施例を示す断面図である。
【図２】図１の浸漬式ワイヤ放電加工機の要部を示す斜視図である。
【図３】従来の浸漬式ワイヤ放電加工機を示す断面図である。
【図４】従来の別の浸漬式ワイヤ放電加工機を示す斜視図である。
【図５】図４のＡ−Ａ線における断面図である。
【図６】  従来の更に別の浸漬式ワイヤ放電加工機を示す断面図である。
【符号の説明】
１    加工槽
２    加工液
９    加工機本体
１０  ワイヤ電極
１２  上ワイヤヘッド
１３  下アーム（支持アーム）
１４  下ワイヤヘッド
２２  遮蔽板
２３  加工槽の側壁
２４  加工槽の長孔
２７，３２  シール部材
２９  遮蔽板の前面
３３  上側の補強リブ
３４  下側の補強リブ
３５  Ｙ方向移動サドル（サドル）
３７  Ｌ字型ポスト（ポスト）
３８，３９  ローラ（支持部材）
４０  ローラ（規制部材）
４１  支持部材の支軸
４３  遮蔽板の背面
４５  規制部材の支軸
Ｗ    工作物
【図１】
0003669826.tif 000002
【図２】
0003669826.tif 000003
【図３】
0003669826.tif 000004
【図４】
0003669826.tif 000005
【図５】
0003669826.tif 000006
【図６】
0003669826.tif 000007